(57)【要約】【課題】ガスタービン有機酸ベースインターリンスを提供する。【解決手段】ガスタービン洗浄制御システム（３５０）は、オフラインのガスタービン（１００）の洗浄およびリンスを実行することができる。インターリンス溶液を、ガスタービン（１００）に注入することができる。ガスタービン（１００）を撹拌することができ、インターリンス溶液を排出することができる。ガスタービン（１００）の第２のリンスを実行することができ、ガスタービンへの腐食防止溶液の注入を続けることができる。【選択図】図１
2015113836.tif 000002
【特許請求の範囲】
【請求項１】
ガスタービン（１００）と、
ガスタービン洗浄システム（１３０）と、
動作を遂行するように前記ガスタービン洗浄システム（１３０）を制御するように構成された洗浄コントローラ（３５０）と
を備え、前記動作が、
前記ガスタービン（１００）がオフラインのとき、前記ガスタービン（１００）の洗浄を実行することと、
前記ガスタービン（１００）の第１のリンスを実行することと、
インターリンス溶液を前記ガスタービン（１００）に注入することと、
前記ガスタービン（１００）を撹拌することと、
前記ガスタービン（１００）の第２のリンスを実行することと、
腐食防止溶液を前記ガスタービン（１００）に注入することと
を含む、システム。
【請求項２】
前記インターリンス溶液がクエン酸を含む、請求項１記載のシステム。
【請求項３】
前記腐食防止溶液がポリアミン化合物を含む、請求項１記載のシステム。
【請求項４】
前記動作が、さらに、前記ガスタービン（１００）が回転ギアまたは駆動モータの少なくとも１つに接続されていることを検証することを含む、請求項１記載のシステム。
【請求項５】
前記ガスタービン（１００）が所定の時間の間撹拌される、請求項１記載のシステム。
【請求項６】
前記ガスタービン（１００）が所定の速度で撹拌される、請求項１記載のシステム。
【請求項７】
前記動作が、さらに、前記インターリンス溶液を前記ガスタービン（１００）から排出することを含む、請求項１記載のシステム。
【請求項８】
オフラインのガスタービン（１００）の洗浄を実行するステップと、
前記ガスタービン（１００）の第１のリンスを実行するステップと、
インターリンス溶液を前記ガスタービン（１００）に注入するステップと、
前記ガスタービン（１００）を撹拌するステップと、
前記ガスタービン（１００）の第２のリンスを実行するステップと、
腐食防止溶液を前記ガスタービン（１００）に注入するステップと
を含む、方法。
【請求項９】
前記インターリンス溶液がクエン酸を含む、請求項８記載の方法。
【請求項１０】
前記腐食防止溶液がポリアミン化合物を含む、請求項８記載の方法。
【請求項１１】
前記ガスタービン（１００）が回転ギアまたは駆動モータの少なくとも１つに接続されていることを検証するステップをさらに含む、請求項８記載の方法。
【請求項１２】
前記ガスタービン（１００）が所定の時間の間撹拌される、請求項８記載の方法。
【請求項１３】
前記ガスタービン（１００）が所定の速度で撹拌される、請求項８記載の方法。
【請求項１４】
前記インターリンス溶液を前記ガスタービン（１００）から排出するステップをさらに含む、請求項８記載の方法。
【発明の詳細な説明】
【技術分野】
【０００１】
本発明は、ガスタービンの洗浄に関する。
【背景技術】
【０００２】
燃焼タービンとも呼ぶことができるガスタービンは、空気を構成するガスの温度を上昇させるためにチャンバ内の燃料を燃焼させ、ガスを膨張させることによって、空気を加圧し、空気に熱を加える内燃機関である。ガスは、次いで、高温の膨張したガスによって生成されるエネルギーを抽出するために、タービンに向けられる。ガスタービンは、ジェットエンジンとしての使用、および産業用発電システムでの使用を含む、多くの実用的な用途を有する。ガスタービンは、通常動作中に、様々な雰囲気および環境要因にさらされる。ほとんどの定置ガスタービンは、入口空気濾過システムを備えているが、すべての雰囲気および環境物質がタービンに入るのを防止することは不可能である。
【０００３】
雰囲気および環境物質は、流入空気の濾過にもかかわらず、ガスタービンに入るので、タービン構成要素は、時間が経つにつれて、そのような物質によって汚れてくる。この汚れに対処するために、ガスタービンの構成要素を、オフラインで（すなわち、非動作時に）およびオンラインで（すなわち、動作時に）洗浄（ｃｌｅａｎｅｄ）または「洗浄（ｗａｓｈｅｄ）」することができる。しかしながら、タービンの洗浄を定期的に行う場合であっても、いくらかの汚れは、ガスタービンの構成要素に残る可能性があり、ガスタービンを洗浄するために使用される洗浄液の残留物が、そのような構成要素に蓄積する可能性もある。ガスタービンの構成要素に錆が現れる可能性もある。洗浄プロセスによる完全な洗浄の不足は、ガスタービンの高位番号の圧縮機ステージに洗浄洗剤が届く範囲が限られ、これらのステージが完全には洗浄されないこと、残留洗剤を残す洗浄プロセス中の不十分なリンス、および、信頼性の低い洗剤分散ノズルを含む、様々な要因によるものである可能性がある。錆は、洗浄プロセスの後のタービンの不十分な乾燥のために現れ始める可能性がある。
【発明の概要】
【課題を解決するための手段】
【０００４】
例示的な非限定的な実施形態では、システムは、ガスタービンと、ガスタービン洗浄システムと、ガスタービン洗浄システムにガスタービンの洗浄およびガスタービンの第１のリンスを実行させるためにガスタービン洗浄システムを制御するように構成された洗浄コントローラとを含むことができる。システムは、インターリンス溶液をガスタービンに注入し、ガスタービンを撹拌し、ガスタービンの第２のリンスを実行することができる。システムは、腐食防止溶液をガスタービンに注入することができる。
【０００５】
別の例示的な非限定的な実施形態では、オフラインのガスタービンの洗浄を実行し、ガスタービンの第１のリンスを実行するための方法が開示される。インターリンス溶液をガスタービンに注入し、ガスタービンを撹拌することができ、ガスタービンの第２のリンスを実行することができる。腐食防止溶液をガスタービンに注入することができる。
【０００６】
別の例示的な非限定的な実施形態では、命令を有するメモリと、メモリに結合されたプロセッサとを有することができるガスタービン洗浄コントローラが開示され、洗浄コントローラは、オフラインのガスタービンの洗浄を実行する動作と、ガスタービンの第１のリンスを実行する動作とを含む動作を実施する。動作は、さらに、インターリンス溶液をガスタービンに注入する動作と、ガスタービンを撹拌する動作と、ガスタービンの第２のリンスを実行する動作とを含むことができる。動作は、さらに、腐食防止溶液をガスタービンに注入する動作を含むことができる。
【０００７】
前述の要約、ならびに以下の詳細な説明は、図面と併せて読めば、よりよく理解される。特許請求される主題を説明する目的のために、様々な実施形態を例示する例が図面に示されているが、本発明は、開示された特定のシステムおよび方法に限定されない。
【０００８】
本主題のこれらおよび他の特徴、態様、および利点は、添付図面を参照して読まれると、よりよく理解されるようになるであろう。
【図面の簡単な説明】
【０００９】
【図１】例示的な非限定的なガスタービンシステムの図である。
【図２】例示的な非限定的なガスタービンシステムの別の図である。
【図３】ガスタービンを洗浄するための例示的な非限定的なシステムの概略図である。
【図４】ガスタービンのオフライン洗浄を実行する非限定的な例示的な方法を示す図である。
【図５】本明細書で開示する方法およびシステムまたはその一部を組み込むことができる汎用コンピュータシステムを示す例示的なブロック図である。
【発明を実施するための形態】
【００１０】
図１は、例示的な非限定的なガスタービンエンジン１００の概略図である。エンジン１００は、圧縮機部１０２と、燃焼器アセンブリ１０４とを含むことができる。エンジン１００は、タービン部１０８と、共通圧縮機／タービンシャフト１１０（ロータ１１０と呼ぶこともできる）とを含むこともできる。
【００１１】
動作中、空気は、圧縮された空気が燃焼器アセンブリ１０４に供給されるように、圧縮機部１０２を通って流れることができる。燃料を空気と混合し、点火することができる燃焼器アセンブリ１０４内に画定される燃焼領域および／またはゾーン（図示せず）に、燃料を運ぶことができる。発生した燃料ガスは、ガス流の熱エネルギーが機械的回転エネルギーに変換されるタービン部１０８に運ばれる。タービン部１０８は、シャフト１１０に回転可能に結合される。本明細書で使用する「流体」という用語は、限定はしないがガスおよび空気を含む、流れる任意の媒体または物質を含むことも認識すべきである。
【００１２】
図２は、例示的なガスタービンエンジン１００の非限定的な例示的な圧縮機部の概略図である。エンジン１００は、さらに、圧縮機ベルマウス１１２と、入口案内翼１１４と、圧縮機静翼１１６とを含むことができる。ガスタービン洗浄方法は、洗浄水が圧縮機１０２を通って全体的に軸方向通路１２０をたどるように、水洗浄ノズル（図示せず）の配置１１８を含むことができる。そのような洗浄方法を使用することは、圧縮機１０２の最初の７つの（またはより少ない）ステージ１２２を通じてのみ効果的な洗浄をもたらし、圧縮機１０２のより後のステージ１２４は、十分な洗浄を受けない可能性がある。入口点１２６および１２８は、圧縮機１０２の第９ステージおよび第１３ステージにそれぞれ位置する、本明細書で説明する方法、システム、および装置では、水、洗浄剤、または、水および１つもしくは複数の洗浄剤の混合物を導入するための入口点を示す。
【００１３】
図３は、タービンエンジン１００などのガスタービンを洗浄するための非限定的な例示的なシステム１３０の概略図である。システム１３０は、水、洗浄剤、および／またはインターリンス溶液をタービン１００内に供給するための流体分配配管１３２を含むことができる。例示的な実施形態では、洗浄システム１３０を、タービン１００がオフラインの（燃料を燃焼させない、または出力を供給しない）とき、タービン１００を洗浄するために構成することができる。洗浄システム１３０を利用するために、タービン１００を、回転ギアまたは駆動モータ（図示せず）に接続することができる。さらに、タービン１００内に導入された水、洗浄混合物、またはインターリンス溶液が内部金属に熱衝撃を与えず、および／または、タービン構成要素の材料のクリープ、もしくはどのような機械的もしくは構造的変形も引き起こさないように、タービン１００を、オフラインにした後に、いくつかの実施態様では、内部容積および表面が十分に（例えば、１４５°Ｆ以下に）冷却するまで、冷却させることができる。
【００１４】
例示的な実施形態では、洗浄コントローラ３５０は、水と洗浄剤との比率、水とインターリンス溶液との比率、ならびに、洗浄、リンス、インターリンスの適用、および乾燥のシーケンスのサイクル時間を含む、洗浄プロセスの任意の局面を制御するように適切にプログラムされた制御システムとして機能することができる。インターリンス溶液と水との比率は、ブレード材料、タービン位置、などに基づいて決定されてよいことに留意されたい。いくつかの実施形態では、洗浄方法のそのような局面は、洗浄されるタービンの仕様および構成を適応させるために、タービン製造業者によって選択されてよい。いくつかの実施形態では、そのような設定は、手動で、または、権限のない者によって調整することができなくてよく、他の実施形態では、そのような設定は、ユーザ調整可能であってよい。洗浄コントローラ３５０は、特定の条件が満たされない場合、オフライン洗浄サイクル、またはオフライン洗浄の任意の局面の開始をチェックし、防止するように構成されてよい。例えば、洗浄コントローラ３５０は、洗浄サイクルの開始前に、シャフト１１０が回転ギアおよび／または駆動モータに接続されていることを判断するように構成されてよい。洗浄コントローラ３５０は、本明細書で説明し、当業者に公知であるように、ガスタービンエンジンおよび／または洗浄システムの構成要素の任意のものと通信可能に接続されてよく（接続は図示されていない）、それらを制御または指示することができる。そのような通信および指示は、ワイヤード接続、ワイヤレス接続、またはそのような接続の任意の組合せを使用して伝達されてよい。
【００１５】
例示的な洗浄システム１３０では、流体分配配管１３２は、一実施形態では第９および第１３圧縮機ステージの、既存の圧縮機空気抽出配管１３４および１３６と、一実施形態では第２および第３タービンステージの、既存のタービン冷却配管１３８および１４０とに接続されてよい。そのようなステージは、現行のタービン構造中にすでに存在する可能性がある。上記の追加の配管配置は、例示的な洗浄システム１３０では、ベルマウスノズル（図示せず）と共に、またはその代わりとして用いられる。
【００１６】
流体分配配管１３２は、水（好ましくは、脱イオン水）の供給源１４４に接続された水供給配管１４２、ならびに、例えば、タービン部１０８に対して圧縮機部１０２のための洗浄剤の異なる供給源間での選択を可能にすることができる追加のバルブ（図示せず）を用いて洗浄剤の１つまたは複数の供給源１４８に接続された洗浄剤供給配管１４６を含むことができる。
【００１７】
システム１３０の流体分配配管１３２は、インターリンス溶液の供給部１５２に接続されたインターリンス溶液配管１５０を含むことができる。供給部１５２は、据付型でエンジン１００に近接して位置してよく、または、オフライン洗浄を実行すべきときに使用される、例えばトラック上の移動型であってよい。そのようなインターリンス溶液は、タービン１００内のあらゆる残留汚れおよび／または洗剤、ならびに錆堆積物を、部分的にまたは完全に除去することができる。一実施形態では、インターリンス溶液を、オフライン洗浄の第１の洗浄およびリンスサイクルの後に使用することができ、その後、追加のリンスを行うことができ、次いで、錆止処理溶液の塗布（例えば、ポリアミンの塗布）を行うことができる。水供給配管１４２、洗浄剤供給配管１４６、およびインターリンス溶液配管１５０の各々は、モータを有することができるポンプ１５４、ならびに、バルブ１５６および１５８と、戻し流回路１６０とを含むことができる。
【００１８】
一実施形態では、供給部１５２内に格納され、本明細書で説明するように使用されるインターリンス溶液は、クエン酸および脱イオン水の混合物であってよい。そのような混合物中のクエン酸のどのような濃度も、本開示の範囲内であると考えられる。他の実施形態では、任意の他のインターリンス溶液を使用することができ、そのようなインターリンス溶液は、残留汚れおよび洗剤を除去する、錆堆積物を除去する、内部の圧縮機金属表面を不動態化する、および／または錆止処理のために表面吸着能を改善するのを助けることができる。錆止材料によって提供される適用範囲の増加は、ケーシング、ホイール、およびホイール取り付け部品内および上の表面の錆および他の腐食性成分の生成速度を抑制または低下させる圧縮機の能力を高めることができる。いくつかの実施形態では、同じインターリンス溶液を、（ベルマウスノズルおよび２つのより後のステージのアクセスポイントを介して）圧縮機およびタービン部に同時に注入することができる。他の実施形態では、異なる溶液または洗浄成分を、圧縮機およびタービン部に注入することができ、そのような実施形態では、異なるインターリンス溶液の注入を可能にするために、２つ以上の混合チャンバ１６２およびインターリンス溶液供給部１５２と、対応する配管とを構成することができる。他の実施形態では、インターリンス溶液を、タービン部の構成要素に適用することなく、圧縮機部にのみ適用することができ、またはその逆であってもよい。すべてのそのような実施形態は、本開示の範囲内であると考えられる。
【００１９】
水供給配管１４２、洗浄剤供給配管１４６、およびインターリンス溶液配管１５０は、混合チャンバ１６２に通じることができ、完全な混合を確実にするために、水は、一次流を形成し、洗浄剤およびインターリンス溶液は、一次流内に向けられる二次流を形成する。一実施形態では、図３に示す拡大図に示すように、インターリンス溶液を、一次流体流方向に対して逆流方向に角度が付けられた１つまたは複数のノズルを介して、一次流体よりも高い圧力で混合チャンバに注入することができる。混合チャンバ１６２から、インターリンス溶液を、いくつかの実施形態では、脱イオン水と混合したインターリンス溶液を、多岐管１６４に供給するように向けることができ、混合チャンバ１６２からの流出を制御する。多岐管１６４は、例示的な実施形態では、バルブ１６６および１６８の一方または他方のみが任意の所与の時間に開くように制御することができるインターロックバルブを含むことができる。他の実施形態では、バルブ１６６および１６８の両方を一度に開くことができる。いずれの実施形態でも、バルブ１６６および１６８の両方を同時に閉じることができる。いくつかの実施形態では、バルブ１６６および１６８は、個別に独立して制御可能であってよい。
【００２０】
適切なバルブが適切に構成されているとき、多岐管１６４から、供給分枝１７０は、インターリンス溶液、またはインターリンス溶液および脱イオン水の混合物を、タービン１００のベルマウス１１２に提供する。同様に、供給ライン１７２は、三方バルブ１７４に通じることができ、三方バルブ１７４は、インターリンス溶液、またはインターリンス溶液および脱イオン水の混合物を、いくつかの実施形態では同時に、第９の圧縮機ステージの空気抽出配管１３４および第１３の圧縮機ステージの空気抽出配管１３６にそれぞれ供給するように供給分枝１７６および１７８に通じることができる。分枝１７６および１７８には、それぞれ、特別な洗浄剤の添加を可能にするために設けることができる急速着脱部を設けることができる。供給配管１８２は、インターリンス溶液、またはインターリンス溶液および脱イオン水の混合物を、いくつかの実施形態では同時に、第２のタービンステージの冷却配管１３８および第３のタービンステージ冷却配管１４０にそれぞれ供給するために、多岐管１６４から三方バルブ１８４まで、かつ、分枝１８６および１８８上に延在することができる。分枝１８６および１８８には、同様に、再び、特別な洗浄剤が、トラック、または洗浄剤もしくは他の流体の他の外部供給源などの外部供給部から用いられるおよび／または供給されるときに使用される急速着脱部１８０を設けることができる。一実施形態では、水およびクエン酸のみを、所定の比率で混合することができる。いくつかの実施形態では、混合を、別の場所で、または、別個の貯蔵タンクなどの、本明細書で開示する混合チャンバ以外の別の構成要素で行うことができる。インターリンス溶液の流体混合比を、洗浄処理の持続時間と同様に、ガスタービンのフレームサイズの材料冶金学に基づいて決定することができる。比率を、流体混合物に使用されるクエン酸化合物のタイプに基づいて調整することもできる。
【００２１】
図４は、オフラインガスタービン洗浄を行う例示的な非限定的な方法４００を示す。図４に関して説明した機能および動作を、洗浄コントローラ３５０などのデバイスによって行う、開始する、または他の方法で制御することができる。方法４００の様々なブロックに関して説明した機能および動作は、任意の順序で実行されてよく、そのような機能および動作の任意のサブセット、または任意の個々の機能もしくは動作は、単独で、または、本明細書で説明する、もしくは本明細書で説明しない任意の他の機能および動作と組わせて実行されてよいことに留意されたい。すべてのそのような実施形態は、本開示の範囲に含まれると考えられる。
【００２２】
ブロック４１０で、ガスタービンは、パワーダウンしてよく、またはそうでなければオフライン状態に置かれてよい。いくつかの実施形態では、オフライン洗浄サイクルの前に、ガスタービンを、所定の温度以下になるまで冷却させることができる。いくつかの実施形態では、洗浄コントローラは、ガスタービンの１つまたは複数の部分の温度を決定するようにガスタービン上に構成された１つまたは複数のセンサを使用することができ、検出した温度（複数可）がしきい値以下になるまで、オフライン洗浄サイクルの開始を抑制することができる。
【００２３】
ブロック４２０で、ガスタービンを回転ギアおよび／もしくは駆動モータに接続することができ、または、ガスタービンが回転ギアおよび／もしくは駆動モータに接続されているかどうか（例えば、洗浄コントローラによって）判断することができる。そうでない場合、洗浄コントローラは、例えば、回転ギアおよび／または駆動モータとの接続が確認されるまで、オフライン洗浄サイクルの開始をさらに抑制することができる。代わりに、または加えて、ガスタービンが回転ギアおよび／または駆動モータに接続されていないと判断すると、警報を発することができ、または、洗浄コントローラによってなにか他の形態の通知を発生することができる。
【００２４】
ブロック４３０で、ガスタービンの最初の洗浄を、１つまたは複数の洗浄剤および脱イオン水の混合物を使用して行うことができる。ガスタービンの任意のタイプの洗浄を行うことができる。ブロック４４０で、ガスタービンからできるだけ多くの洗浄剤を除去するために、水リンスを行うことができる。ブロック４３０および４４０のいずれかまたは両方で、洗浄および／またはリンスの有効性を改善するために、接続された回転ギアおよび／または駆動モータによって、ガスタービンを撹拌、またはそうでなければ操作することができる。
【００２５】
ブロック４５０で、インターリンス溶液をガスタービンに注入することができる。インターリンス溶液は、水と混合してもよい。一実施形態では、使用するインターリンス溶液は、クエン酸および脱イオン水の混合物であってよい。そのような混合物中のクエン酸のどのような濃度も、本開示の範囲内であると考えられる。他の実施形態では、任意の他のインターリンス溶液を使用することができ、そのようなインターリンス溶液は、残留汚れおよび洗剤を除去する、錆堆積物を除去する、内部の圧縮機金属表面を不動態化する、および／または錆止処理のために表面吸着能を改善するのを助けることができる。いくつかの実施形態では、インターリンス溶液と水との比率は、洗浄コントローラによって決定されてもよい。一実施形態では、インターリンス溶液を、ガスタービンにすでに構成されている水洗浄回路および抽出空気配管を使用して、ガスタービンの圧縮機の第９および第１３ステージを介して、圧縮機に注入することができる。インターリンス溶液を、同様に、または代わりに、ベルマウス注入ノズルを使用して、ガスタービンのベルマウスに注入することができる。インターリンス溶液を、同様に、または代わりに、第２タービンステージおよび第３タービンステージに注入することができる。いくつかの実施形態では、インターリンス溶液および水の同じ混合物を、タービンおよび圧縮機の両方で使用することができ、他の実施形態では、異なる溶液または洗浄組成物を、圧縮機およびタービン部に注入することができる。異なる混合物を使用するこれらの実施形態では、インターリンス溶液を混合するために、２つ以上の混合チャンバを使用することができる。他の実施形態では、インターリンス溶液を、燃焼構成要素に適用することなく、圧縮機部にのみ適用することができ、またはその逆であってもよい。すべてのそのような実施形態は、本開示の範囲内であると考えられる。
【００２６】
ブロック４６０で、ガスタービンのブレード、ベーン、および他の構成要素に対するインターリンス溶液の適用範囲を増加させるために、タービンを、接続された回転ギア、駆動モータ、および／または始動システムによって、撹拌、またはそうでなければ操作することができる。この撹拌を、一実施形態では洗浄コントローラのプログラミングまたはロジックで構成されることで、洗浄コントローラに設定することができる所定の時間の間および／または所定の速度で行うことができる。
【００２７】
ブロック４７０で、一実施形態では、排液バルブの位置合わせを達成するために、タービンの回転時に、インターリンス溶液をガスタービンから排出させることができる。いくつかの実施形態では、インターリンス溶液は、再利用可能であってよく、そのような実施形態では、ガスタービンにおける排液路を、排出するインターリンス溶液を取り込むように変更することができることに留意されたい。
【００２８】
ブロック４８０で、インターリンス溶液をガスタービンからリンスするために、水リンスを行うことができる。いくつかの実施形態では、洗浄コントローラに設定することができる所定の時間の間および／または所定の速度で、撹拌を行うことができる。この撹拌は、ガスタービンからのインターリンス溶液のより完全なリンスを助けることができる。リンス水を排出することができ、リンス水が再利用可能である場合、変更された排液路を使用して取り込むこともできる。
【００２９】
ステップ４９０で、腐食防止溶液をガスタービンに注入することができる。そのような溶液は、ガスタービンの構成要素の腐食を抑制するのに役立つことができる。一実施形態では、腐食防止溶液は、ポリアミン溶液であってよく、または、ポリアミン化合物を含むことができる。本明細書で使用する「ポリアミン」という用語は、２つ以上のＮＨ２などの一級アミノ基を有する有機化合物を指すために使用される。別の実施形態では、腐食防止溶液は、酸性の汚染物質を中和し、ｐＨをアルカリ性の範囲に上昇させることができる揮発性中和アミンを含むことができ、それにより、保護金属酸化物コーティングは、特に安定性で付着性になる。そのような溶液で使用することができる腐食防止剤の非限定的な例は、シクロヘキシルアミン、モルホリン、モノエタノールアミン、Ｎ−９−オクタデセニル−１，３−プロパンジアミン、９−オクタデセン−１−アミン、（Ｚ）−１−５、ジメチルアミノプロピルアミン（ｄｉｍｅｔｈｙｌａｍｉｎｅｐｒｏｐｙｌａｍｉｎｅ：ＤＭＰＡ）、ジエチルアミノエタノール（ｄｉｅｔｈｙｌａｍｉｎｏｅｔｈａｎｏｌ：ＤＥＡＥ）、など、およびこれらの任意の組合せを含む。腐食防止溶液の適切な分配を確実にするために、入口および排液バルブの位置合わせおよび位置決めを行うことができる。腐食防止溶液のより均一かつ完全な分配を確実にするために、撹拌を、同様にまたは代わりに行うことができる。この撹拌を、洗浄コントローラに設定することができる所定の時間の間、および／または所定の速度で行うことができる。
【００３０】
本明細書に記載のシステムおよび方法の技術的効果は、ガスタービンが腐食防止溶液の適用前により完全に洗浄されることを確実にすることによる、腐食防止溶液の改善された分配および適用範囲である。当業者によって理解されるように、本システムおよび方法を使用するガスタービン構成要素のよりよい洗浄は、回復された性能をより長い期間維持することを助けることになり、ガスタービンの性能、効率、および寿命を改善することにもなる。当業者は、より高いガスタービンの清浄度、性能、および効率を達成するために、開示するシステムおよび方法を他のシステムおよび技術と組み合わせることができることを認識するであろう。すべてのそのような実施形態は、本開示の範囲内であると考えられる。
【００３１】
図５および以下の説明は、本発明で開示するガスタービンインターリンスのための方法およびシステム、ならびに／またはその一部を実現することができる適切なコンピューティング環境の簡単な一般的説明を提供することを意図している。例えば、洗浄コントローラ３５０の機能を、図５に関して説明した態様のいくつかまたはすべてを含む１つまたは複数のデバイスによって実行することができる。特許請求する実施形態の機能を実行するために使用することができる図５に説明するデバイスのいくつかまたはすべてを、図３に関して説明したものなどのシステム内に組み込むことができるコントローラで構成することができる。代わりに、図５に説明するデバイスのいくつかまたはすべては、任意のデバイス、デバイスの組合せ、または、開示する実施形態の任意の態様を実行する任意のシステムに含まれてよい。
【００３２】
必須ではないが、本明細書で開示するガスタービンインターリンスのための方法およびシステムを、クライアントワークステーション、サーバ、またはパーソナルコンピュータなどのコンピュータによって実行されるプログラムモジュールなどのコンピュータ実行可能命令の一般的な文脈で説明することができる。そのようなコンピュータ実行可能命令を、それ自体過渡信号ではない任意のタイプのコンピュータ可読記憶デバイスに記憶することができる。一般に、プログラムモジュールは、特定のタスクを実行する、または特定の抽象データ型を実装するルーチン、プログラム、オブジェクト、コンポーネント、データ構造、などを含む。さらに、当然のことながら、本明細書で開示するガスタービンインターリンスのための方法およびシステム、ならびに／またはその一部を、ハンドヘルドデバイス、マルチプロセッサシステム、マイクロプロセッサベースまたはプログラマブル民生用電子機器、ネットワークＰＣ、マイクロコンピュータ、メインフレームコンピュータ、などを含む、他のコンピュータシステム構成で実施することができる。本明細書で開示するガスタービンインターリンスのための方法およびシステムを、通信ネットワークを介してリンクされたリモート処理デバイスによってタスクが実行される、分散コンピューティング環境で実施することもできる。分散コンピューティング環境では、プログラムモジュールを、ローカルおよびリモートメモリ記憶デバイスの両方に配置することができる。
【００３３】
図５は、本明細書で開示するガスタービンインターリンスのための方法およびシステムの態様、ならびに／またはその一部を組み込むことができる汎用コンピュータシステムを表すブロック図である。図示のように、例示的な汎用コンピュータシステムは、処理ユニット５２１と、システムメモリ５２２と、システムメモリを含む様々なシステム構成要素を処理ユニット５２１に結合するシステムバス５２３とを含む、コンピュータ５２０などを含む。システムバス５２３は、様々なバスアーキテクチャのいずれかを使用する、メモリバスまたはメモリコントローラ、周辺バス、およびローカルバスを含む、いくつかのタイプのバス構造のいずれであってもよい。システムメモリは、読み出し専用メモリ（ｒｅａｄ−ｏｎｌｙ  ｍｅｍｏｒｙ：ＲＯＭ）５２４およびランダムアクセスメモリ（ｒａｎｄｏｍ  ａｃｃｅｓｓ  ｍｅｍｏｒｙ：ＲＡＭ）５２５を含むことができる。起動時などに、コンピュータ５２０内の要素間で情報を転送するのを助ける基本ルーチンを含むことができる基本入力／出力システム５２６（ｂａｓｉｃ  ｉｎｐｕｔ／ｏｕｔｐｕｔ  ｓｙｓｔｅｍ：ＢＩＯＳ）を、ＲＯＭ５２４に記憶することができる。
【００３４】
コンピュータ５２０は、さらに、ハードディスク（図示せず）に対して読み書きするためのハードディスクドライブ５２７、リムーバブル磁気ディスク５２９に対して読み書きするための磁気ディスクドライブ５２８、および／または、ＣＤ−ＲＯＭもしくは他の光学媒体などのリムーバブル光ディスク５３１に対して読み書きするための光ディスクドライブ５３０を含むことができる。ハードディスクドライブ５２７、磁気ディスクドライブ５２８、および光ディスクドライブ５３０を、それぞれ、ハードディスクドライブインターフェース５３２、磁気ディスクドライブインターフェース５３３、および光ディスクドライブインターフェース５３４によって、システムバス５２３に接続することができる。ドライブおよびそれらの関連するコンピュータ可読媒体は、コンピュータ５２０のためのコンピュータ可読命令、データ構造、プログラムモジュール、および他のデータの不揮発性記憶装置を提供する。
【００３５】
本明細書で説明する例示的な環境は、ハードディスク、リムーバブル磁気ディスク５２９、およびリムーバブル光ディスク５３１を利用するが、当然のことながら、コンピュータによってアクセス可能なデータを記憶することができる他のタイプのコンピュータ可読媒体を、例示的な動作環境で使用することができる。そのような他のタイプの媒体は、限定はしないが、磁気カセット、フラッシュメモリカード、デジタルビデオまたは多用途ディスク、ベルヌーイカートリッジ、ランダムアクセスメモリ（ＲＡＭ）、読み出し専用メモリ（ＲＯＭ）、などを含む。
【００３６】
オペレーティングシステム５３５、１つまたは複数のアプリケーションプログラム５３６、他のプログラムモジュール５３７、およびプログラムデータ５３８を含む、いくつかのプログラムモジュールを、ハードディスクドライブ５２７、磁気ディスク５２９、光ディスク５３１、ＲＯＭ５２４、および／またはＲＡＭ５２５に記憶することができる。ユーザは、キーボード５４０およびポインティングデバイス５４２などの入力デバイスを介して、コマンドおよび情報をコンピュータ５２０に入力することができる。他の入力デバイス（図示せず）は、マイクロフォン、ジョイスティック、ゲームパッド、サテライトディスク、スキャナ、などを含むことができる。これらおよび他の入力デバイスは、しばしば、システムバスに接続されたシリアルポートインターフェース５４６を介して処理ユニット５２１に接続されるが、パラレルポート、ゲームポート、またはユニバーサルシリアルバス（ｕｎｉｖｅｒｓａｌ  ｓｅｒｉａｌ  ｂｕｓ：ＵＳＢ（登録商標））などの、他のインターフェースによって接続されてよい。モニタ５４７または他のタイプのディスプレイデバイスを、ビデオアダプタ５４８などのインターフェースを介して、システムバス５２３に接続することもできる。モニタ５４７に加えて、コンピュータは、スピーカおよびプリンタなどの他の周辺出力デバイス（図示せず）を含むことができる。図５の例示的なシステムは、ホストアダプタ５５５、スモールコンピュータシステムインターフェース（Ｓｍａｌｌ  Ｃｏｍｐｕｔｅｒ  Ｓｙｓｔｅｍ  Ｉｎｔｅｒｆａｃｅ  ：ＳＣＳＩ）バス５５６、および、ＳＣＳＩバス５５６に接続することができる外部記憶デバイス５６２を含むこともできる。
【００３７】
コンピュータ５２０は、洗浄コントローラ３５０などの１つまたは複数のリモートコンピュータまたはデバイスとの論理的および／または物理的接続を使用するネットワーク環境で動作することができる。洗浄コントローラ３５０は、開示する実施形態の態様を実行することができる、本明細書で説明するような任意のデバイスであってよい。リモートコンピュータ５４９は、パーソナルコンピュータ、サーバ、ルータ、ネットワークＰＣ、ピアデバイス、または他の共通ネットワークノードであってよく、メモリ記憶デバイス５５０のみが図５に示されているが、コンピュータ５２０に関して上記で説明した要素の多くまたはすべてを含むことができる。図５に示す論理的接続は、ローカルエリアネットワーク（ｌｏｃａｌ  ａｒｅａ  ｎｅｔｗｏｒｋ：ＬＡＮ）５５１およびワイドエリアネットワーク（ｗｉｄｅ  ａｒｅａ  ｎｅｔｗｏｒｋ：ＷＡＮ）５５２を含むことができる。そのようなネットワーク環境は、オフィス、企業全体のコンピュータネットワーク、イントラネット、およびインターネットで一般的である。
【００３８】
ＬＡＮネットワーク環境で使用するとき、コンピュータ５２０を、ネットワークインターフェースまたはアダプタ５５３を介してＬＡＮ５５１に接続することができる。ＷＡＮネットワーク環境で使用するとき、コンピュータ５２０は、インターネットなどのワイドエリアネットワーク５５２上の通信を確立するためのモデム５５４または他の手段を含むことができる。内蔵でも外付けでもよいモデム５５４を、シリアルポートインターフェース５４６を介してシステムバス５２３に接続することができる。ネットワーク環境では、コンピュータ５２０に関連して示したプログラムモジュールまたはその一部を、リモートメモリ記憶デバイスに記憶することができる。図示のネットワーク接続は、例示的なものであり、コンピュータ間の通信リンクを確立する他の手段を使用することができることが理解されるであろう。
【００３９】
コンピュータ５２０は、様々なコンピュータ可読記憶媒体を含むことができる。コンピュータ可読記憶媒体は、コンピュータ５２０によってアクセスすることができる任意の利用可能な有形な非一時的または非伝播媒体であってよく、揮発性および不揮発性媒体、リムーバブルおよび非リムーバブル媒体の両方を含む。例として、限定としてではなく、コンピュータ可読媒体は、コンピュータ記憶媒体および通信媒体を含むことができる。コンピュータ記憶媒体は、コンピュータ可読命令、データ構造、プログラムモジュール、または他のデータ、などの情報を記憶するための任意の方法または技術で実現された揮発性および不揮発性のリムーバブルおよび非リムーバブル媒体を含む。コンピュータ記憶媒体は、限定はしないが、ＲＡＭ、ＲＯＭ、ＥＥＰＲＯＭ、フラッシュメモリもしくは他のメモリ技術、ＣＤ−ＲＯＭ、デジタル多用途ディスク（ｄｉｇｉｔａｌ  ｖｅｒｓａｔｉｌｅ  ｄｉｓｋ：ＤＶＤ（登録商標））もしくは他の光ディスク記憶装置、磁気カセット、磁気テープ、磁気ディスク記憶装置もしくは他の磁気記憶デバイス、または、所望の情報を記憶するために使用することができ、コンピュータ５２０によってアクセスすることができる任意の他の有形の媒体を含む。上記のいずれの組合せも、本明細書で説明する方法およびシステムを実現するためのソースコードを記憶するために使用することができるコンピュータ可読媒体の範囲内に含まれるべきである。本明細書で開示する特徴または要素のいずれの組合せも、１つまたは複数の実施形態で使用することができる。
【００４０】
本明細書は、最良の形態を含む本明細書に含まれる主題を開示するため、ならびに、当業者が、デバイスまたはシステムを製作および使用することと、任意の組み込まれる方法を実行することとを含む、本発明を実施することができるようにするために、例を使用する。本開示の特許可能な範囲は、特許請求の範囲によって定義され、当業者が想到する他の例を含むことができる。そのような他の例は、それらが特許請求の範囲の文言と相違しない構造的要素を有する場合、または、それらが特許請求の範囲の文言と実質的に相違しない等価な構造的要素を含む場合、特許請求の範囲内であることを意図している。
【符号の説明】
【００４１】
１００  ガスタービンエンジン
１０２  圧縮機
１０４  燃焼器アセンブリ
１０８  タービン
１１０  シャフト
１１２  ベルマウス
１１４  入口案内翼
１１６  圧縮機静翼
１１８  配置
１２０  軸方向通路
１２２  ステージ
１２４  ステージ
１２６  入口点
１２８  入口点
１３０  洗浄システム
１４４  供給源
１４８  供給源
１５２  供給部
１５４  ポンプ
１５６  バルブ
１５８  バルブ
１６０  戻し流回路
１６２  混合チャンバ
１６４  多岐管
１６６  バルブ
１６８  バルブ
１７０  供給分枝
１７２  供給ライン
１７４  バルブ
１７６  供給分枝
１７８  供給分枝
１８０  急速着脱部
１８４  バルブ
１８６  分枝
１８８  分枝
３５０  洗浄コントローラ
４００  方法
４１０  ブロック
４２０  ブロック
４３０  ブロック
４４０  ブロック
４５０  ブロック
４６０  ブロック
４７０  ブロック
４８０  ブロック
４９０  ブロック
５２０  コンピュータ
５２１  処理ユニット
５２２  メモリ
５２３  バス
５２４  ＲＯＭ
５２５  ＲＡＭ
５２６  ＢＩＯＳ
５２７  ハードディスクドライブ
５２８  磁気ディスクドライブ
５２９  リムーバブル磁気ディスク
５３０  光ディスクドライブ
５３１  光ディスク
５３２  ハードドライブインターフェース
５３３  磁気ディスクドライブインターフェース
５３４  光ディスクドライブインターフェース
５３５  オペレーティングシステム
５３６  アプリケーションプログラム
５３７  プログラムモジュール
５３８  プログラムデータ
５４０  キーボード
５４２  ポインティングデバイス
５４６  シリアルポートインターフェース
５４７  モニタ
５４８  ビデオアダプタ
５４９  リモートコンピュータ
５５０  メモリ記憶デバイス
５５１  ＬＡＮ
５５２  ＷＡＮ
５５３  アダプタ
５５４  モデム
５５５  ホストアダプタ
５５６  バス
５６２  外部記憶デバイス
【図１】
2015113836.tif 000003
【図２】
2015113836.tif 000004
【図３】
2015113836.tif 000005
【図４】
2015113836.tif 000006
【図５】
2015113836.tif 000007